【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
網膜の厚さを測定するための小型光干渉断層撮影（ＯＣＴ）システムであって、前記小型ＯＣＴシステムは、
検出器と、
複数の波長を備えている光ビームを発生させるように構成された光源と、
前記光源に結合された複数の光学要素であって、前記複数の光学要素は、前記ビームを眼の中へ向かわせ、前記検出器において干渉信号を発生させる、複数の光学要素と、
前記検出器および前記光源に結合された回路と
を備え、
前記回路は、前記信号に応答して、前記網膜の厚さを決定する、小型ＯＣＴシステム。
【請求項２】
前記小型ＯＣＴシステムは、前記小型ＯＣＴシステムの軸方向分解能より小さい精度において網膜における厚さの変化を測定し、前記網膜における厚さの変化は、第１の時間における第１の厚さと、第２の時間における第２の厚さとを備え、前記軸方向分解能は、約１５０μｍ〜約３０μｍの範囲内の分解能値を備えている、請求項１に記載の小型ＯＣＴシステム。
【請求項３】
前記光ビームは、可変波長を備え、前記回路は、前記回路からの駆動電流を用いて前記波長を変動させるように構成されている、請求項１に記載の小型ＯＣＴシステム。
【請求項４】
前記網膜の厚さは、約１５０〜３００μｍの範囲内であり、前記波長範囲は、約２ｎｍ〜約１０ｎｍの範囲内で掃引され、前記ＯＣＴシステムは、約１５０μｍ〜約３０μｍの範囲内の軸方向分解能を備え、前記光源は、単一のＶＳＣＥＬを備えている、請求項１に記載の小型ＯＣＴシステム。
【請求項５】
前記厚さは、眼に対する前記小型ＯＣＴシステムの移動の特性周波数よりも速く測定され、前記移動は、その手に前記ＯＣＴシステムを保持する患者に関連する移動、眼球運動、および振戦から成る群から選択される、請求項１に記載の小型ＯＣＴシステム。
【請求項６】
前記光源、前記複数の光学要素、前記検出器、および前記回路は、前記眼から約２００ｍｍ以下に前記検出器を伴って前記眼の前で保持されるように構成されている、請求項１に記載の小型ＯＣＴシステム。
【請求項７】
前記患者が前記光ビームを眼窩と整列させるための視認標的をさらに備え、前記視認標的は、前記光ビームもしくは発光ダイオードからの光のうちの１つ以上のものを備えている、請求項１に記載の小型ＯＣＴシステム。
【請求項８】
前記光源は、約５〜１０ｎｍの範囲にわたる前記光ビームの発光波長を変動させるように構成されている垂直キャビティ面発光レーザ（ＶＣＳＥＬ）を備えている、請求項１に記載の小型ＯＣＴシステム。
【請求項９】
前記ＶＣＳＥＬは、波長変動の規定最大定格範囲を有し、前記回路は、前記波長変動の規定最大範囲を少なくとも約１ｎｍ超えて、前記波長変動の規定最大範囲を超えて約１ｎｍ〜５ｎｍの範囲内で前記ＶＣＳＥＬを駆動するように構成されている、請求項８に記載の小型ＯＣＴシステム。
【請求項１０】
前記回路は、複数の測定の各々のために定格波長範囲の最大値を上回って前記ＶＳＣＥＬを駆動し、かつ、前記ＶＳＣＥＬの過熱を阻止するために約１ミリ秒（「ｍｓ」）〜約１００ミリ秒の範囲内の量、第２の測定から第１の測定を遅らせるように構成されている、請求項８に記載の小型ＯＣＴシステム。
【請求項１１】
前記回路は、波形を有する駆動電流を用いて、前記定格波長範囲の最大値を上回って前記ＶＳＣＥＬを駆動するように構成され、前記波形は、前記ＶＳＣＥＬの最大定格電流を上回る第１の部分と、前記ＶＳＣＥＬの最大定格電流を下回る第２の部分とを有し、前記第１の部分は、前記ＶＳＣＥＬの過熱を阻止するために前記波形の持続時間の約５０パーセント以下を備えている、請求項８に記載の小型ＯＣＴシステム。
【請求項１２】
前記回路は、掃引周波数を伴って波長の範囲にわたって放射波長に掃引させるように構成され、前記回路は、前記干渉信号の周波数に応答して、前記厚さを決定するように構成され、前記掃引周波数は、約５０Ｈｚ〜約１０ＫＨｚの範囲内である、請求項１に記載の小型ＯＣＴシステム。
【請求項１３】
前記回路は、前記光源を加熱して前記波長を変化させるように構成されている、請求項１に記載の小型ＯＣＴシステム。
【請求項１４】
前記複数の光学要素は、参照光路および測定光路を提供するように配置され、前記干渉信号は、前記参照光路と前記測定光路とに沿った光の干渉に起因し、前記回路は、前記干渉信号を前記眼の中へ向かわせられる前記ビームの光路に沿って反射される光の強度プロファイルに変換し、前記強度プロファイルに応答して前記網膜の厚さを決定するように構成されたプロセッサを備え、前記強度プロファイルは、複数の反射ピークを備え、前記プロセッサは、前記複数の反射ピークに応答して、前記厚さを決定するための命令で構成されている、請求項１に記載の小型ＯＣＴシステム。
【請求項１５】
前記光源は、第１のＶＣＳＥＬと、第２のＶＣＳＥＬとを備え、前記光ビームは、前記第１のＶＳＣＥＬおよび前記第２のＶＳＣＥＬからの光を備えている、請求項１に記載の小型ＯＣＴシステム。
【手続補正２】
【補正対象書類名】明細書
【補正対象項目名】０００９
【補正方法】変更
【補正の内容】
【０００９】
いくつかの実施形態では、小型ＯＣＴシステムは、複数の波長を放射するように構成される光源と、検出器と、検出器上で光学干渉信号を発生させるように配置される光学要素と、検出器および光源に結合される回路とを備えている。いくつかの実施形態では、光源は、波長の範囲にわたって波長を掃引するために、変動する波長の光ビームを放射するように構成される光源を備えている。ある事例では、波長は、網膜の厚さを測定するために、約３ｎｍ〜１０ｎｍの範囲にわたって掃引される。本範囲は、２５μｍまたはそれ未満の網膜における厚さにおける変化を決定するために十分な軸方向分解能、反復性、および再現性を伴って、システム複雑性および費用の減少を提供することができるが、より長い波長掃引が、使用されることができる。いくつかの実施形態では、３ｎｍ〜１０ｎｍの範囲内のＯＣＴシステムの掃引範囲は、例えば、小型ＯＣＴシステムを用いて、約１５０μｍよりも大きい網膜の厚さおよび２５μｍと同程度に小さい網膜における厚さの変化の検出を可能にするが、より長い波長掃引が、使用されることができる。回路は、いくつかの実施形態では、鋸歯状波形等の特性周期および掃引周波数を有する波形を用いて光源を駆動するように構成される。ある事例では、回路は、眼から返される光からの干渉信号の周波数を測定し、眼の網膜の厚さを決定するように検出器に結合されるが、他の物体の厚さも測定されることができる。いくつかの実施形態では、回路は、波形の一部の最大定格電流閾値を上回り、波形の別の部分の最大定格電流閾値を下回って、光源を駆動するように構成され、光源は、波形の両方の部分の間に光を放射する。波形の一部内の光源の本過駆動は、ＯＣＴシステムの複雑性、サイズ、および重量の減少とともに、光源の波長範囲の拡張および測定範囲の増加を可能にする。
本発明は、例えば、以下を提供する。
（項目１）
網膜の厚さを測定するための小型光干渉断層撮影（ＯＣＴ）システムであって、前記小型ＯＣＴシステムは、
検出器と、
複数の波長を備えている光ビームを発生させるように構成された光源と、
前記光源に結合された複数の光学要素であって、前記複数の光学要素は、前記ビームを眼の中へ向かわせ、前記検出器において干渉信号を発生させる、複数の光学要素と、
前記検出器および前記光源に結合された回路と
を備え、
前記回路は、前記信号に応答して、前記網膜の厚さを決定する、小型ＯＣＴシステム。
（項目２）
前記小型ＯＣＴシステムは、前記小型ＯＣＴシステムの軸方向分解能より小さい精度（または反復性）において網膜における厚さの変化を測定し、前記網膜における厚さの変化は、第１の時間における第１の厚さと、第２の時間における第２の厚さとを備えている、項目１に記載の小型ＯＣＴシステム。
（項目３）
前記小型ＯＣＴシステムを用いて測定される網膜における厚さの変化は、前記小型ＯＣＴシステムの軸方向分解能より小さい、項目１に記載の小型ＯＣＴシステム。
（項目４）
前記軸方向分解能は、約１５０μｍ〜約３０μｍの範囲内の分解能値を備え、さらに、随意に、前記値は、約１５０μｍ〜約７５μｍの範囲内である、項目２に記載の小型ＯＣＴシステム。
（項目５）
前記光ビームは、可変波長を備え、前記回路は、前記回路からの駆動電流を用いて前記波長を変動させるように構成されている、項目１に記載の小型ＯＣＴシステム。
（項目６）
前記網膜の厚さは、前記網膜の第１の層と前記網膜の第２の層との間の距離を備え、前記網膜の厚さは、１５０μｍより大きい、項目１に記載の小型ＯＣＴシステム。
（項目７）
前記網膜の厚さは、約１５０〜３００μｍの範囲内であり、前記波長範囲は、約２ｎｍ〜約１０ｎｍの範囲内で掃引され、前記ＯＣＴシステムは、約１５０μｍ〜約３０μｍの範囲内の軸方向分解能を備え、随意に、前記波長範囲は、約３ｎｍから約６ｎｍまで掃引され、前記軸方向分解能は、約１００μｍ〜約５０μｍの範囲内であり、随意に、前記光源は、単一のＶＳＣＥＬを備えている、項目１に記載の小型ＯＣＴシステム。
（項目８）
前記網膜の連続した測定間の反復性は、２５μｍ以内であり、少なくとも１週間のより長い時間にわたる測定間の再現性は、２５μｍ以内であり、随意に、前記再現性は、検査対象を用いて測定される、項目７に記載の小型ＯＣＴシステム。
（項目９）
前記小型ＯＣＴシステムは、前記厚さの２つの測定が５０μｍより大きく異なる２つの厚さの値を生成するとき、前記厚さにおける変化を決定するように構成されている、項目８に記載の小型ＯＣＴシステム。
（項目１０）
前記反復性は、１分以内に実施され、９５％の信頼区間を伴って決定される測定に基づく、項目８に記載の小型ＯＣＴシステム。
（項目１１）
前記再現性は、２５μｍ以内であり、前記再現性は、一組の条件の下で、事前決定された期間内に前記網膜に対して１人の個人によって行われる測定における変動を示す、項目８に記載の小型ＯＣＴシステム。
（項目１２）
前記事前決定された期間は、少なくとも２ヶ月である、項目１１に記載の小型ＯＣＴシステム。
（項目１３）
複数の反射表面を有する検査材料を提供する検査装置をさらに備えている、項目１１に記載の小型ＯＣＴシステム。
（項目１４）
前記厚さは、眼に対する前記小型ＯＣＴシステムの移動の特性周波数よりも速く測定され、前記移動は、その手に前記ＯＣＴシステムを保持する患者に関連する移動、眼球運動、および振戦から成る群から選択される、項目１に記載の小型ＯＣＴシステム。
（項目１５）
前記小型ＯＣＴシステムは、以下のうちのいずれか２つ、すなわち、約０．１秒（１０Ｈｚ）、０．０２秒（５０Ｈｚ）、０．０１秒（１００Ｈｚ）、および０．００２秒（５００Ｈｚ）によって定義される範囲内の周波数において測定を実施するように構成されている、項目１４に記載の小型ＯＣＴシステム。
（項目１６）
前記光源、前記複数の光学要素、前記検出器、および前記回路は、前記眼から約２００ｍｍ以下に前記検出器を伴って前記眼の前で保持されるように構成されている、項目１に記載の小型ＯＣＴシステム。
（項目１７）
前記患者が前記光ビームを眼窩と整列させるための視認標的をさらに備え、前記視認標的は、前記光ビームもしくは発光ダイオードからの光のうちの１つ以上のものを備えている、項目１に記載の小型ＯＣＴシステム。
（項目１８）
前記光源は、約５〜１０ｎｍの範囲にわたる前記光ビームの発光波長を変動させるように構成されている垂直キャビティ面発光レーザ（ＶＣＳＥＬ）を備えている、項目１に記載の小型ＯＣＴシステム。
（項目１９）
前記ＶＣＳＥＬは、波長変動の規定最大定格範囲を有する、項目１８に記載の小型ＯＣＴシステム。
（項目２０）
前記回路は、前記波長変動の規定最大範囲を少なくとも約１ｎｍ超えて、随意に、前記波長変動の規定最大範囲を超えて約１ｎｍ〜５ｎｍの範囲内で前記ＶＣＳＥＬを駆動するように構成されている、項目１９に記載の小型ＯＣＴシステム。
（項目２１）
前記回路は、複数の測定の各々のために定格波長範囲の最大値を上回って前記ＶＳＣＥＬを駆動し、かつ、前記ＶＳＣＥＬの過熱を阻止するために約１ミリ秒（「ｍｓ」）〜約１００ミリ秒の範囲内、随意に、約５ミリ秒〜約２０ミリ秒の範囲内の量、第２の測定から第１の測定を遅らせるように構成されている、項目１９に記載の小型ＯＣＴシステム。
（項目２２）
前記回路は、波形を有する駆動電流を用いて、前記定格波長範囲の最大値を上回って前記ＶＳＣＥＬを駆動するように構成され、前記波形は、前記ＶＳＣＥＬの最大定格電流を上回る第１の部分と、前記ＶＳＣＥＬの最大定格電流を下回る第２の部分とを有し、前記第１の部分は、前記ＶＳＣＥＬの過熱を阻止するために前記波形の持続時間の約５０パーセント以下を備えている、項目１９に記載の小型ＯＣＴシステム。
（項目２３）
前記回路は、掃引周波数を伴って波長の範囲にわたって放射波長に掃引させるように構成され、前記回路は、前記干渉信号の周波数に応答して、前記厚さを決定するように構成されている、項目１に記載の小型ＯＣＴシステム。
（項目２４）
前記掃引周波数は、約５０Ｈｚ〜約１０ＫＨｚの範囲内、随意に、約１００Ｈｚ〜約５ｋＨｚまたは約１ｋＨｚ〜約５ＫＨｚの範囲内である、項目２３に記載の小型ＯＣＴシステム。
（項目２５）
前記掃引周波数は、ユーザの眼の振戦または前記ユーザの手の振戦よりも速い、項目２３に記載の小型ＯＣＴシステム。
（項目２６）
前記回路は、前記光源を加熱して前記波長を変化させるように構成されている、項目１に記載の小型ＯＣＴシステム。
（項目２７）
前記複数の光学要素は、参照光路および測定光路を提供するように配置され、前記干渉信号は、前記参照光路と前記測定光路とに沿った光の干渉に起因する、項目１に記載の小型ＯＣＴシステム。
（項目２８）
前記複数の光学要素は、参照光路および測定光路を提供するように配置され、前記干渉信号は、前記参照光路からの光と前記測定光路からの光との干渉に起因する、項目１に記載の小型ＯＣＴシステム。
（項目２９）
前記複数の光学要素は、測定光路を提供するように配置され、前記干渉信号は、前記測定光路に沿った前記網膜の層からの光の干渉に起因し、随意に、参照光路を伴わない、項目１に記載の小型ＯＣＴシステム。
（項目３０）
前記回路は、前記干渉信号を前記眼の中へ向かわせられる前記ビームの光路に沿って反射される光の強度プロファイルに変換し、前記強度プロファイルに応答して前記網膜の厚さを決定するように構成されたプロセッサを備えている、項目１に記載の小型ＯＣＴシステム。
（項目３１）
前記強度プロファイルは、複数の反射ピークを備え、前記プロセッサは、前記複数の反射ピークに応答して、前記厚さを決定するための命令で構成されている、項目３０に記載の小型ＯＣＴシステム。
（項目３２）
前記プロセッサは、前記干渉信号の周波数に応答して、前記強度プロファイルを決定するための命令で構成され、随意に、前記強度プロファイルは、前記検出器を用いて測定される前記干渉信号の高速フーリエ変換を用いて決定される、項目３０に記載の小型ＯＣＴシステム。
（項目３３）
前記干渉信号の周波数は、前記網膜の層の分離距離および前記光源の波長の変化率に対応する、項目３０に記載の小型ＯＣＴシステム。
（項目３４）
前記干渉信号の周波数は、前記網膜の層の分離距離および前記光源から放射される前記ビームの波長の変化率に対応する、項目３０に記載の小型ＯＣＴシステム。
（項目３５）
前記断層撮影システムを眼窩と整列させるための視認標的をさらに備え、前記視認標的は、前記光ビーム、発光ダイオードを用いて画定される標的、またはＶＣＳＥＬのうちの１つ以上のものを備えている、項目１に記載の小型ＯＣＴシステム。
（項目３６）
前記光源は、第１のＶＣＳＥＬと、第２のＶＣＳＥＬとを備え、前記光ビームは、前記第１のＶＳＣＥＬおよび前記第２のＶＳＣＥＬからの光を備えている、項目１に記載の小型ＯＣＴシステム。
（項目３７）
前記回路は、類似速度で前記第１のＶＳＣＥＬからの光の第１の波長および前記第２のＶＳＣＥＬからの光の第２の波長を掃引するために、類似掃引周波数を用いて順に前記第１のＶＣＳＥＬおよび前記第２のＶＣＳＥＬを駆動するように構成され、随意に、前記第１のＶＳＣＥＬおよび前記第２のＶＳＣＥＬの前記類似掃引周波数および前記類似速度は、互いの５％以内、随意に、互いの１％以内である、項目３６に記載の小型ＯＣＴシステム。
（項目３８）
前記回路は、前記第２のＶＳＣＥＬがオフであるときに前記第１のＶＳＣＥＬをオンにし、前記第１のＶＳＣＥＬがオフであるときに前記第２のＶＳＣＥＬをオンにし、前記第１のＶＳＣＥＬと前記第２のＶＣＥＬとからの光の時間的重複を阻止するように構成され、前記第２のＶＳＣＥＬは、前記第１のＶＳＣＥＬがオフにされたとき、オンになり、前記第１のＶＳＣＥＬからの光の約０．１ｎｍ以内の波長を有する光を放射するように構成されている、項目３６に記載の小型ＯＣＴシステム。
（項目３９）
前記第１のＶＳＣＥＬからの光を結合するためのビームスプリッタまたは光ファイバのうちの１つ以上のものをさらに備えている、項目３６に記載の小型ＯＣＴシステム。
（項目４０）
前記光源、前記光学要素、前記検出器、および前記回路を支持するための筐体をさらに備え、前記筐体は、前記光ビームを前記眼の中へ向かわせるために、前記眼の前でユーザの手の中で保持されるように構成されている、項目１に記載の小型ＯＣＴシステム。
（項目４１）
前記筐体は、握持を容易にするために曲面上に複数のくぼみを伴う円筒形を有する、項目４０に記載の小型ＯＣＴシステム。
（項目４２）
前記筐体の向きに応答して測定される眼を測定するためのセンサをさらに備えている、項目４０に記載の小型ＯＣＴシステム。
（項目４３）
他方の眼が測定されている間の一方の眼を閉塞するための閉塞構造をさらに備え、前記閉塞構造は、前記筐体と測定される眼を決定するための前記センサとに結合されている、項目４０に記載の小型ＯＣＴシステム。
（項目４４）
前記筐体は、本体と、前記本体に回転可能に取り付けられた蓋とを備え、前記蓋は、開放位置にあるとき、前記本体の周囲で回転するように構成されている、項目４０に記載の小型ＯＣＴシステム。
（項目４５）
バッテリをさらに備え、前記バッテリは、前記光源よりも前記検出器から遠く離れて位置している、項目４０に記載の小型ＯＣＴシステム。
（項目４６）
ドッキングステーションをさらに備え、前記ドッキングステーションは、前記光源および前記回路に給電するために、前記筐体を受け取り、前記筐体内に含まれる前記バッテリを充電し、前記ドッキングステーションは、前記厚さを遠隔サーバに伝送するための無線通信回路を備え、随意に、前記無線通信回路は、グローバルシステムフォーモバイルコミュニケーションズ（ＧＳＭ（登録商標））、第３世代（３Ｇ）、または第４世代（４Ｇ）モジュールを備えている、項目４５に記載の小型ＯＣＴシステム。
（項目４７）
前記回路は、通信ネットワークを通してデータを受信または伝送するように構成されている、項目１に記載の小型ＯＣＴシステム。
（項目４８）
前記通信ネットワークは、インターネット、セルラーネットワーク、または短距離通信ネットワークを含む、項目１に記載の小型ＯＣＴシステム。
（項目４９）
前記小型ＯＣＴシステムは、約５０グラム〜約５００グラムの範囲内、随意に、約１００グラム〜約４００グラムの範囲内の質量を有する、項目１〜４８のいずれか１項に記載の小型ＯＣＴシステム。
（項目５０）
前記小型ＯＣＴシステムは、約１０ｍｍ〜約１００ｍｍの範囲内、随意に、約２５ｍｍ〜約７０ｍｍの範囲内で横断する最大距離を有する、項目１〜４９のいずれか１項に記載の小型ＯＣＴシステム。
（項目５１）
筐体であって、前記光源、前記検出器、前記回路、および前記光学要素は、前記筐体内に含まれる、筐体と、
前記光源および前記検出器に結合された光ファイバであって、前記光ファイバは、前記小型ＯＣＴシステムから延びている、光ファイバと、
前記光ビームを前記眼と整列させ、前記光ビームを前記眼に向かわせるように前記光ファイバの遠位端に結合された整列構造と
をさらに備えている、項目１〜５０のいずれか１項に記載の小型ＯＣＴシステム。
（項目５２）
小型ＯＣＴシステムを用いて患者の網膜の厚さを測定する方法であって、前記方法は、
前記網膜の厚さを繰り返し測定し、それによって、複数の時間に複数の測定をそれぞれ実施することと、
前記複数の測定に基づいて、約３０μｍ〜約７０μｍの範囲内の前記厚さの変化を検出することと
を含み、
前記小型ＯＣＴシステムは、約７０μｍ〜約１５０μｍの範囲内の軸方向分解能を有する、方法。
（項目５３）
前記厚さは、約５ｎｍ〜１０ｎｍの範囲内で掃引する波長を用いて測定される、項目５２に記載の方法。
（項目５４）
前記反復測定は、前記小型ＯＣＴシステムよりも低い分解能値を有する第２のＯＣＴシステムに基づいて、眼科医の受診の２４時間以内に第１の測定を実施し、前記小型ＯＣＴシステムを用いて測定される前記厚さを調節することと、前記第１の測定後の１日〜２０日の範囲内の時間に第２の測定を実施することとを含む、項目５２に記載の方法。
（項目５５）
前記反復測定は、約５〜２０日の範囲内の複数の日にわたって１つの測定を毎日実施することを含む、項目５２に記載の方法。
（項目５６）
前記複数の時間は、少なくとも１日かつ２０日以下、互いに分離されている、項目５２に記載の方法。
（項目５７）
前記厚さの変化は、少なくとも９５％の信頼区間を伴って検出される、項目５２に記載の方法。
（項目５８）
物体の厚さを測定するための小型ＯＣＴシステムであって、前記小型ＯＣＴシステムは、
検出器と、
可変波長を有する光ビームを発生させるように構成された光源と、
前記ビームを前記物体の中へ向かわせ、検出器上で干渉信号を発生させるように前記光源に結合された複数の光学要素と、
前記検出器および前記光源に結合された回路と
を備え、
前記回路は、前記波長を変動させ、前記干渉信号に応答して、前記厚さを決定する、小型ＯＣＴシステム。
（項目５９）
ミラー、複数のミラー、ジンバル、レンズ、検流計、音響光学変調器、電気光学変調器、平行移動光学要素、前記光ビームを横断して平行移動する光学要素、変形可能ミラー、およびｘｙ平行移動ステージから成る群から選択される走査光学要素をさらに備えている、項目１〜５８のいずれか１項に記載の小型ＯＣＴシステムまたは方法。
（項目６０）
視覚カメラ装置をさらに備えている、項目１〜５９のいずれか１項に記載の小型ＯＣＴシステムまたは方法。
（項目６１）
前記視覚カメラ装置は、対象の眼の複数の画像を取得するように構成されている、項目６０に記載の小型ＯＣＴシステムまたは方法。
（項目６２）
前記対象の眼の複数の画像は、対象の眼が後続のＯＣＴ測定間に移動したかどうか、および移動した量を決定するために使用される、項目６１に記載の小型ＯＣＴシステムまたは方法。
（項目６３）
眼底カメラ装置をさらに備えている、項目１〜６２のいずれか１項に記載の小型ＯＣＴシステムまたは方法。
（項目６４）
前記眼底カメラは、対象の眼の眼底の複数の画像を取得するように構成されている、項目６３に記載の小型ＯＣＴシステムまたは方法。
（項目６５）
前記対象の眼の眼底の前記複数の画像は、対象の眼が後続のＯＣＴ測定間に移動したかどうか、および移動した量を決定するために使用される、項目６４に記載の小型ＯＣＴシステムまたは方法。